(57)【特許請求の範囲】
【請求項１】
物体を被覆する被覆部であって、平面形状を有する被覆部、
前記被覆部の周縁に沿って設けられ、所定の重さを有する紐状物体を有し、前記被覆部の周縁のうち、対向して位置する２つの側縁に沿って設けられる被覆状態維持部、
を有する被覆装置であって、
前記被覆部は、
織物であり、
前記紐状物体は、
前記側縁に沿って配置される織物の縦糸又は横糸として、前記織物に配置されること、
を特徴とする被覆装置。
【請求項２】
請求項１に係る被覆装置において、
前記紐状物体は、
金属を用いて生成されること、
を特徴とする被覆装置。
【請求項３】
請求項２に係る被覆装置において、
前記紐状物体は、
屈曲性を有すること、
を特徴とする被覆装置。
【請求項４】
請求項３に係る被覆装置において、
前記紐状物体は、
複数の塊状の金属が連続して直線状に配置されているものであること、
を特徴とする被覆装置。
【請求項５】
請求項１〜請求項４に係る被覆装置のいずれかにおいて、
前記被覆状態維持部は、
前記側縁に沿って配置される複数の前記紐状物体を有すること、
を特徴とする被覆装置。
【請求項６】
請求項５に係る被覆装置において、
前記被覆状態維持部は、
複数の前記紐状物体が一体として構成された統合紐状物体を有すること、
を特徴とする被覆装置。
【発明の詳細な説明】
【技術分野】
【０００１】
本発明は、物体を被覆する被覆装置に関し、特に、植物を容易に被覆できるものに関する。
【背景技術】
【０００２】
茶葉を生産するにあたって、茶木の成長段階の所定期間、茶木を被覆資材で被覆することがある。茶木を被覆することによって、茶葉による光合成を適度に抑制し、うまみ成分であるアミノ酸がカテキン、ビタミン類等の苦味渋味成分に変化することを抑制する。茶木を被覆する方法の一つに、茶木に、直接、被覆資材を固定する「直がけ」がある。
【０００３】
従来の被覆装置である茶木の直がけに使用する被覆資材について図９を用いて説明する。図９Ａに示すように、被覆資材１は、茶木を被覆するためのシート３及び被覆部３を茶木に固定するためのピンチ５を有している。なお、ピンチ５は、慣例として、シート３の左右の端部に約２ｍ間隔で取り付けられる。茶木を被覆するにあたっては、シート３を茶木の天面をかぶせて、ピンチ５を枝条に挟んで、シート３を固定する。
【０００４】
シート３を被覆する際に、張力が強いと新芽がシート３に押さえつけられるため、シート３自体の熱による葉焼けなどが懸念される。このため、図９Ｂに示すように、張力はできるだけ弱いほうがよい。しかし、風の強い地域では、シート３で新芽が擦られることによる傷害が発生する。よって、このような地域では、図９Ｃに示すように、張力を強くしなければならない。
【０００５】
なお、ピンチ５を枝条に固定する際に、固定位置を天面に近くするとシート３の張力は弱まり、天面から遠くするとシート３の張力は強くなる。また、より張力を上げるためには、シート３にピンチ５を配置する間隔を狭くする。
【先行技術文献】
【非特許文献】
【０００６】
【非特許文献１】社団法人農山漁村文化協会編、「茶大百科  ２  栽培の基礎／栽培技術／生産者事例」、第１刷、社団法人農山漁村文化協会、２００８年３月２５日、ｐ．３３１
【発明の概要】
【発明が解決しようとする課題】
【０００７】
前述の被覆部材１には、以下に示すような改善すべき点がある。被覆部材１のシート３にはピンチ５が２ｍ間隔で取り付けられている。したがって、一つの被覆部材１を茶木に固定しようとすると、複数のピンチ５を取り付ける必要がある。通常、被覆部材１の長さは５０ｍ程度である。さらに、数十〜数百の茶木の畝に対して、被覆部材１を固定しなければならない。したがって、茶木にピンチ５を取り付けに必要とする作業量が非常に多い、という改善すべき点がある。
【０００８】
また、ピンチ５を固定する位置を調整することによって、シート３を展張する力を調整する必要がある。しかし、複数のピンチ５が存在する中、各ピンチ５で展張する力を一定にすることは非常に難しい、という改善すべき点がある。
【０００９】
そこで、本発明は、容易に被覆できる被覆装置を提供することを目的とする。
【発明の効果】
【００１０】
本発明における課題を解決するための手段及び発明の効果を以下に示す。
【００１１】
本発明に係る被覆装置は、物体を被覆する被覆部であって、平面形状を有する被覆部、前記被覆部の周縁に沿って設けられ、所定の重さを有する被覆状態維持部であって、前記被覆部の周縁に設けられるもの、を有する。
【００１２】
これにより、所定の重みにより被覆部を固定することができる。よって、被覆部をピンチ等によって固定する場合に比して、作業量が激減し、容易に被覆部を固定することができる。
【００１３】
本発明に係る被覆装置では、前記被覆状態維持部は、前記周縁のうち、対向して位置する２つの側縁に沿って設けられていること、を特徴とする。これにより、被覆部を容易に引っ張ることができる。
【００１４】
本発明に係る被覆装置では、  前記被覆状態維持部は、所定の重さを有する紐状物体を有すること、を特徴とする。これにより、容易に紐状物体を被覆状態維持部に配置することができる。
【００１５】
本発明に係る被覆装置では、前記紐状物体は、金属を用いて生成されること、を特徴とする。これにより、紐状物体を容易に生成することができる。また、比重の重い金属を用いることによって、紐状物体の大きさを小さくすることができる。
【００１６】
本発明に係る被覆装置では、  前記紐状物体は、屈曲性を有すること、を特徴とする。これにより、紐状物体を配置したとしても、被覆部の屈曲性、柔軟性を維持することができる。よって、被覆装置をコンパクトに収納することができる。
【００１７】
本発明に係る被覆装置では、前記紐状物体は、複数の塊状の金属が連続して直線状に配置されているものであること、を特徴とする。これにより、所定の重量を有し、屈曲性を有する紐状物体を容易に生成することができる。
【００１８】
本発明に係る被覆装置では、前記被覆状態維持部は、前記側縁に沿って配置される複数の前記紐状物体を有すること、を特徴とする。これにより、側縁を引っ張る重さを容易に調整することができる。
【００１９】
本発明に係る被覆装置では、前記被覆状態維持部は、複数の前記紐状物体が一体として構成された統合紐状物体を有すること、を特徴とする。これにより、複数の紐状物体を配置する場合に比して、作業量を減少できる。
【００２０】
本発明に係る被覆装置では、前記被覆は、織物であり、前記紐状物体は、前記側縁に沿って配置される織物の縦糸又は横糸として、前記織物に配置されること、を特徴とする。これにより、被覆状態維持部を織物に容易に配置することができる。
【００２１】
本発明に係る被覆装置は、前記物体を被覆する被覆部であって、平面形状を有する被覆部、内部に液体を収納する液体収納部、を有する。
【００２２】
これにより、液体の重みにより被覆部を固定することができる。よって、被覆部をピンチ等によって固定する場合に比して、作業量が激減し、容易に被覆部を固定することができる。
【００２３】
本発明に係る被覆装置では、前記液体収納部は、前記被覆部の周縁に設けられていること、を特徴とする。これにより、被覆部を容易に引っ張ることができる。
【００２４】
本発明に係る被覆装置では、前記液体収納部は、さらに、前記周縁として、対向して位置する２つの側縁に沿って設けられていること、を特徴とする。これにより、被覆部を左右から引っ張ることができる。よって、各液体収納部に同じ重さの液体を収納すれば、均等な力で左右から引っ張ることができる。
【００２５】
本発明に係る被覆装置では、前記液体収納部は、さらに、前記液体が流れる液体管路部、前記液体管路を保持する管路保持部、を有すること、を特徴とする。これにより、液体管路に液体を流通させるだけで、被覆部を固定するができる。よって、被覆部の固定に要する作業量を激減させることができる。
【００２６】
本発明に係る被覆装置では、前記管路保持部は、前記被覆部の端部を折り返して環状にすることによって形成されること、を特徴とする。これにより、容易に管路保持部を形成することができる。
【００２７】
本発明に係る被覆装置では、前記管路保持部は、前記被覆部の側縁の全面に形成されていること、を特徴とする。これにより、液体管路部の長さのうち、被覆部の端部の長さだけ、被覆部によって被覆される。よって、被覆部として遮光性を有する素材を使用すれば、液体管路部を紫外線等の劣化原因から保護することができる。よって、液体管路部の使用可能期間を容易に延長することができる。
【００２８】
本発明に係る被覆装置では、前記液体収納部は、さらに、前記液体を注入するための液体注入部、前記液体を排出するための液体排出部、を有すること、を特徴とする。これにより、必要に応じて、液体を容易に注入、排出することができる。したがって、収納の際等、液体収納部の内部に液体が必要でない場合には液体を排出することができるので、収納時の重量を減らすことができる。
【００２９】
本発明に係る被覆装置では、前記液体収納部は、さらに、前記液体を注入する際に、前記液体管路内に存在する気体排出するための気体排出部、を有すること、を特徴とする。これにより、容易に液体収納部の全体に容易に液体を満たすことができる。
【００３０】
本発明に係る被覆装置では、前記物体としてお茶の木を被覆すること、を特徴とする。これにより、茶木の被覆に必要とされる作業量、作業時間を激減させることができる。
【００３１】
ここで、請求項における構成要素と実施例の構成要素との対応関係を示す。被覆部はネット部１０１に、液体収納部はチューブ挿入部１０３及びチューブ１０５に、それぞれ対応する。液体管路部はチューブ１０５に、管路保持部はチューブ挿入部１０３に、それぞれ対応する。液体注入部は端部Ｔ１Ｌ、Ｔ１Ｒに、液体排出部は端部Ｔ１Ｌ、Ｔ１Ｒ、Ｔ３Ｌ、Ｔ３Ｒに、気体排出部は端部Ｔ３Ｌ、Ｔ３Ｒに、それぞれ対応する。
【００３２】
また、被覆部はネット部２０１に、被覆状態維持部は被覆状態維持部Ａ２１、Ａ２３、チューブ挿入部１０３及びチューブ１０５に、統合紐状物体は統合重量性横糸３０３に、それぞれ対応する。
【図面の簡単な説明】
【００３３】
【図１】本発明に係る被覆装置の実施例１における実現形態である被覆ネット１００を示す図である。
【図２】被覆ネット１００の使用方法を示す図である。
【図３】被覆ネット１００の使用方法を示す図である。
【図４】被覆ネット１００の使用方法を示す図である。
【図５】被覆ネット１００の使用方法を示す図である。
【図６】被覆装置のその他の実施例を示す図である。
【図７】被覆装置のその他の実施例を示す図である。
【図８】被覆装置のその他の実施例を示す図である。
【図９】従来の被覆装置を示す図である。
【図１０】本発明に係る被覆装置の実施例２における実現形態である被覆ネット２００を示す図である。
【図１１】被覆ネット２００の一部の拡大図である。
【図１２】重量性横糸２０３の一部断面図である。
【図１３】被覆ネット２００の使用方法を示す図である。
【図１４】被覆装置のその他の実施例を示す図である。
【図１５】被覆装置のその他の実施例を示す図である。
【発明を実施するための形態】
【００３４】
以下、本発明の実施例について、図面を参照しながら詳細に説明していく。
【実施例１】
【００３５】
第１  構成
本発明に係る被服部材の一実施例である茶木を被覆する被覆ネット１００について図１を用いて説明する。被覆ネット１００は、茶葉による光合成を適度に抑制し、うまみ成分であるアミノ酸がカテキン、ビタミン類等の苦味渋味成分に変化することを抑制するために使用される。茶葉による光合成を適度に抑制することによって、うま味と苦味渋味とのバランスがとれた茶葉を作ることが可能となる。
【００３６】
被覆ネット１００は、ネット部１０１、チューブ挿入部１０３、及びチューブ１０５を有している。
【００３７】
ネット部１０１は、遮光ネットにより構成されている。適切な透過率を有する遮光ネットを使用することによって、適切に茶葉の光合成を抑制することができる。また、遮光ネットを使用することによって、防霜対策、防風対策、防寒対策をも施すことができる。なお、遮光ネットについては、一般に使用されているものを使用すればよい。
【００３８】
チューブ挿入部１０３は、チューブ挿入部１０３Ｌ及びチューブ挿入部１０３Ｒによって構成されている。チューブ挿入部１０３Ｌ、１０３Ｒは、ネット部１０１において対抗して位置する側縁Ｓ１、Ｓ３に、それぞれ形成されている。チューブ挿入部１０３Ｌ、１０３Ｒをネット部１０１の両側縁Ｓ１、Ｓ３にそれぞれ形成することによって、チューブ挿入部１０３内に配置するチューブ１０５に水を満たすことによって、左右から均等な力でネット部１０１を引っ張ることができる。したがって、茶木を被覆した被覆ネット１００が所定の位置からずれることを防止することができる。
【００３９】
また、チューブ挿入部１０３Ｌ、１０３Ｒは、ネット部１０１の側縁Ｓ１、Ｓ３の全体にわたって形成されている。したがって、チューブ挿入部１０３Ｌ、１０３Ｒにそれぞれチューブ１０５Ｌ、１０５Ｒ(後述)を挿入した場合、チューブ１０５Ｌ、１０５Ｒは、側縁Ｓ１、Ｓ３の全体にわたって被覆される。これにより、太陽光等、劣化の原因要素からチューブ１０５Ｌ、１５０Ｒを保護することができる。
【００４０】
なお、被覆ネット１００では、チューブ挿入部１０３Ｌ、１０３Ｒは、それぞれ遮光ネットの長軸方向の端部を中心軸方向に折り返し、内側の所定の位置で遮光ネットと接合することによって、形成される。したがって、遮光ネットの長軸方向の端部と内側の遮光ネットとの接合部分によって側縁Ｓ１、Ｓ３が形成される。
【００４１】
このとき、ネット部１０１の側縁Ｓ１から側縁Ｓ３までの距離Ｗは、茶木の天面の幅ＷＴより左右に所定の長さＬだけ長い長さとしている。このように、距離Ｗを茶木の天面の幅ＷＴより長くすることによって、ネット部１０１を容易に左右に引っ張ることができる。
【００４２】
また、遮光ネットの長軸方向の端部を中心軸方向に折り返し、内側の遮光ネットと接合することから、チューブ挿入部１０３Ｌ、１０３Ｒは、環状構造を有することになる。
【００４３】
チューブ１０５は、チューブ１０５Ｌ、チューブ１０５Ｒにより構成されている。チューブ５Ｌ、チューブ１０５Ｒは、内部に水を留保しないときは平面状となり、内部に水を貯留するときには断面円形状の環状構造を有している。
【００４４】
また、チューブ１０５Ｌは、開放されている左右両端部Ｔ１Ｌ、Ｔ３Ｌを有している。端部Ｔ１Ｌ、Ｔ３Ｌは、ともに所定の留め具によって水の流通を止めることができる。チューブ１０５Ｌの内部に水を溜めることによって、チューブ１０５Ｌの内部の水がおもりとなり、被覆ネット１００を固定することができる。つまり、ネット部１０１をピンチ等によって固定する場合に比して、作業量が激減し、容易にネット部１０１を固定することができる。また、ネット部１０１を容易に左右均等に引っ張ることができる。
【００４５】
なお、チューブ１０５Ｌの内径については、被覆ネット１００を所定の位置に保持するために必要となる重量に基づき、適切に決定すればよい。以上は、チューブ１０５Ｒについても同様である。
【００４６】
チューブ１０５Ｌ、１０５Ｒは、内部に水が存在するときには膨らんで環状となる一方、内部に水が存在しないときには平面状になる。このため、収納の際に、被覆ネット１００を環状に巻き取って収納する場合であっても、チューブ１０５Ｌ、１０５Ｒがかさばらないので、被覆ネット１００をコンパクトに収納することができる。
【００４７】
第２  使用方法
つぎに、被覆ネット１００の使用方法について図２〜図５を用いて説明する。
【００４８】
図２に示すように、被覆ネット１００を使用しようとする使用者は、茶木の天面上に環状にまとめられた被覆ネット１００を配置する。
【００４９】
図３に示すように、使用者は、被覆ネット１００を茶木に沿って矢印ａ１方向へ広げる。
【００５０】
図４に示すように、使用者は、被覆ネット１００を広げ終えると、被覆ネット１００の左右の側縁Ｓ１、Ｓ３に沿って配置されているチューブ１０５Ｌ、１０５Ｒのそれぞれの端部Ｔ１Ｌ、Ｔ１Ｒに水を注入するためのホースをセットする。そして、チューブ１０５Ｌ、１０５Ｒへの水の注入を開始する。
【００５１】
注入された水がチューブ１０５Ｌ、１０５Ｒのそれぞれの端部Ｔ３Ｌ、Ｔ３Ｒから流れ出てきたところで、図５に示すように、端部Ｔ３Ｌ、Ｔ３Ｒを所定の留め具１０７で封止する。このように、チューブ１０５Ｌ、１０５Ｒのそれぞれの端部Ｔ３Ｌ、Ｔ３Ｒから水が流れ出てきたところで、端部Ｔ３Ｌ、Ｔ３Ｒを封止することによって、容易にチューブ１０５Ｌ、１０５Ｒの全体に容易に液体を満たすことができる。
【００５２】
留め具１０７は、チューブ１０５Ｌ、１０５Ｒを左右から挟み込み、チューブ１０５Ｌ、１０５Ｒの断面を圧縮し、断面の圧縮状態を維持する。これにより、チューブ１０５Ｌ、１０５Ｒ内の水の流れを遮断し、端部Ｔ３Ｌ、Ｔ３Ｒからの水の流出を防止する。
【００５３】
さらに、水の注入を続け、使用者は、端部Ｔ１Ｌ、Ｔ１Ｒから水があふれ出る等、所定量の水がチューブ１０５内に注入されたと判断すると、水の注入を中止し、端部Ｔ１Ｌ、Ｔ１Ｒを所定の留め具１０７を用いて封止する。これにより、チューブ１０５内に水を溜めることができる。また、左右から均等にネット部１０１を引っ張ることができる。
【００５４】
このように、被覆ネット１００は、簡単な作業で、茶木を左右均等な力で被覆することができる。よって、少ない人員で被覆作業を行うことができる。したがって、
【００５５】
また、被覆ネット１００を収納しようとする使用者は、チューブ１０５Ｌ、１０５Ｒのそれぞれの端部Ｔ１Ｌ、Ｔ３Ｌ、Ｔ１Ｒ、Ｔ３Ｒを封止している留め具１０７を取り外す。これにより、チューブ１０５Ｌ、１０５Ｒ内の水を排出する。
【００５６】
チューブ１０５Ｌ、１０５Ｒからある程度水が流れ出たところで、被覆ネット１００を環状に巻き取っていく。これにより、容易に被覆ネット１００を回収することができるとともに、コンパクトな状態で被覆ネットを回収することができる。
【実施例２】
【００５７】
前述の実施例１における被覆ネット１００は、ネット部１０１の両側縁Ｓ１、Ｓ３にそれぞれ形成されたチューブ挿入部１０３Ｌ、１０３Ｒにチューブ１０５を挿入し、チューブ１０５の内部に水を溜めることによって、チューブ１０５の内部の水をおもりとすることによって固定するものであった。本実施例に係る被覆ネット２００は、水に変えて金属をおもりとして用いるものである。
【００５８】
本発明に係る被服部材の一実施例である茶木を被覆する被覆ネット２００について図１０を用いて説明する。なお、被覆ネット２００を茶木に使用する目的については、被覆ネット１００と同様、うまみ成分が苦味渋味成分へ変化することを抑制することにある。
【００５９】
被覆ネット２００は、ネット部２０１及び重量性横糸２０３を有している。ネット部２０１は、縦糸、横糸が織られた織物によって構成されている。また、ネット部２０１は、遮光ネットにより構成されている。適切な透過率を有する遮光ネットを使用することによって、適切に茶葉の光合成を抑制することができる。さらに、遮光ネットを使用することによって、防霜対策、防風対策、防寒対策をも施すことができる。なお、遮光ネットについては、一般に使用されているものを使用すればよい。なお、遮光ネットにおける透過率は、縦糸、横糸の配置及びその量によって決定すればよい。
【００６０】
ネット部２０１は、対抗して位置する側縁Ｓ２１、Ｓ２３に沿って形成される被覆状態維持部Ａ２１、Ａ２３を有している。ネット部２０１における被覆状態維持部Ａ２１の一部の拡大図を図１１に示す。被覆状態維持部Ａ２１には、側縁Ｓ２１に沿って３本の重量性横糸２０３が平行に配置されている。重量性横糸２０３は、ネット部２０１を形成する横糸の一部として配置される。したがって、重量性横糸２０３をネット部２０１に配置するにあたっては、通常の横糸に換えて重量性横糸２０３を用いるようにすればよい。
【００６１】
このように、通常の横糸に換えて重量性横糸２０３を用いることによって、被覆ネット２００を製造するにあたって、新しい製造装置を容易にする必要がない。よって、被覆ネット２００の製造コストを低く抑えることができる。また、製造方法を変更する必要がないので、容易に被覆ネット２００を製造することができる。
【００６２】
重量性横糸２０３の内部構造を図１２に示す。重量性横糸２０３は、金属チェーン２０３ａ及び被覆部２０３ｂを有している。金属チェーン２０３ａは、繊維状の紐状物Ｒ２０３に、複数の金属の塊状物Ｂ２０３が連続して直線状に配置されている。繊維状の紐状物Ｒ２０３に塊状物Ｂ２０３として形成された金属を連続して配置するにあたっては、例えば、ボールチェーンの製造方法を用いればよい。このように、紐状物にＲ２０３に塊状物Ｂ２０３を配置することによって、重量性横糸２０３の屈曲性を担保することができる。したがって、ネット部２０１に重量性横糸２０３を配置しても、被覆ネット２００の使用・収納の際に必要となる柔軟性を維持することができる。
【００６３】
被覆部２０３ｂは、金属チェーン２０３ａの周囲を被覆する。このように、金属チェーン２０３ａを被覆することによって、摩擦抵抗を軽減することによって、容易に重量性横糸２０３ａを配置することができる。
【００６４】
組紐の技術を用いて金属チェーン２０３ａを被覆するように所定の糸を組み上げたもの被覆部２０３ｂとして用いている。これにより、重量性横糸２０３を配置する際の抵抗を低減することが可能となる。
【００６５】
このように、重量性横糸２０３を側縁Ｓ２１、Ｓ２３に沿って配置することによって、使用の際にその重みによりネット部２０１を固定することができる。よって、被覆ネットピンチ等によって固定する場合に比して、作業量が激減し、容易に被覆部を固定することができる。また、屈曲性、柔軟性を有する重量性横糸２０３を配置することによって、被覆ネット２００を収納する際に、従来の被覆ネットと同様に、ロール状に巻き取ることが可能となる。よって、従来の被覆ネットと比しても、被覆ネット２００は、コンパクトに収納できるという収納性を損なうことがない。
【００６６】
被覆ネット２００の使用方法については、実施例１における被覆ネット１００と同様である。図１３に、被覆ネット２００を茶木に沿って矢印ａ１方向へ広げている状態を示す。
【００６７】
［その他の実施例］
（１）チューブ１０５内の水  ：  前述の実施例１においては、チューブ１０５内に水を満たすとしたが、チューブ１０５内を流通するものであれば例示のものに限定されない。例えば、水以外の液体であってもよい。また、液体以外の流通性のある物質であってもよい。
【００６８】
（２）遮光ネット  ：  前述の実施例１においては、被覆部１０１を遮光ネットにより構成するとしたが、遮光以外の機能を有するものであってもよい。
【００６９】
（３）チューブ挿入部１０３  ：  前述の実施例１においては、チューブ挿入部１０３を側縁Ｓ１、Ｓ３の全体にわたって形成するとしたが、チューブ１０５を保持できるものであれば、例示のものに限定されない。例えば、図６に示すように、所定の間隔をおいて環状のチューブ挿入部１１３を複数設けるようにしてもよい。
【００７０】
また、前述の実施例１においては、チューブ挿入部１０３は、ネット部１０１を構成する遮光ネットの端部を中心軸方向に折り返し、遮光ネット自身と接合することによって形成するとしたが、ネット部１０１の側縁に形成されるものであれば、例示のものに限定されない。例えば、遮光ネットとは異なる材質によってチューブ挿入部１０３を形成し、両者を接合するようにしてもよい。この場合、図７に示すように、チューブ挿入部１２３を樹脂等により形成し、所定の間隔でネット部１０１の側縁Ｓ１、Ｓ３に接合し、配置するようにしてもよい。
【００７１】
さらに、チューブ挿入部１０３を側縁Ｓ１、Ｓ３に沿って形成するとしたが、ネット部１０１の周縁全体に沿って形成するようにしてもよい。
【００７２】
（４）チューブ１０５  ：  前述の実施例１においては、チューブ１０５は、内部に水を貯留している状態と貯留していない状態で形状が異なるものとしたが、樹脂パイプのように、常に固定した断面形状を有するもの、いわゆる水道ホースのように通常は固定した断面形状を有し、外部から圧力があれば断面形状がり変形するもの等としてもよい。
【００７３】
また、前述の実施例１においては、チューブ１０５の内部に水を貯留するものとしたが、内部に液体を収納できるものであれば、例示のものに限定されない。例えば、図８に示すように、遮光ネットの端部Ｓ１１から、端部Ｓ１１を矢印ａ８方向へ折り返し遮光ネット自身に接合した際に側縁となる側縁Ｓ１までの間の領域Ａ１に防水加工を施し、端部Ｓ１１と遮光ネット自身とを圧着することによって接合して液体収納部を形成する等、チューブ１０５を用いずに液体収納部を形成するようにしてもよい。
【００７４】
（５）端部Ｔ１Ｌ、Ｔ１Ｒ、Ｔ３Ｌ、Ｔ３Ｒ  ：  前述の実施例１では、端部Ｔ１Ｌ、Ｔ１Ｒから水を注入し、端部Ｔ１Ｌ、Ｔ１Ｒ、Ｔ３Ｌ、Ｔ３Ｒから排出するとしたが、いずれか一方の端部からのみ注入し、他方の端部からのみ排出するようにしてもよい。
【００７５】
また、端部Ｔ３Ｌ、Ｔ３Ｒから、チューブ１０５の内部に存在する気体を排出するとしたが、端部Ｔ１Ｌ、Ｔ１Ｒ、Ｔ３Ｌ、Ｔ３Ｒとはことなる位置に別途、気体排出弁等の気体排出部を設けるようにしてもよい。
【００７６】
（６）留め具１０７  ：  前述の実施例１では、留め具１０７は、チューブ１０５Ｌ、１０５Ｒを左右から挟み込み、チューブ１０５Ｌ、１０５Ｒの断面を圧縮し、断面の圧縮状態を維持する留め具１０を用いて、チューブ１０５の内部に水を封止することとしたが、チューブ１０５の内部に水を封止できるものであれば、例示のものに限定されない。また、留め具１０７等の道具を用いずとも、チューブ１０５を所定の位置で結ぶ等によって水を封止するようにしてもよい。
【００７７】
（７）被覆ネット１００の使用対象  ：  前述の実施例１では、被覆ネット１００を茶木に使用するとしたが、被覆が必要なものであれば例示のものに限定されない。紫外線、ホコリ等からの保護が必要なもの、例えば、土木工事に使用する資材、工場における機械部品等であってもよい。
【００７８】
（８）重量性横糸２０３の配置数  ：  前述の実施例２においては、ネット部２０１における被覆状態維持部Ａ２１の側縁Ｓ２１に沿って３本の重量性横糸２０３を配置するとしたが、１本、２本、又は４本以上の重量性横糸２０３を配置するようにしてもよい。重量性横糸２０３の数は、茶木が配置されている環境における風の強さ等を勘案し、適当に決めればよい。
【００７９】
また、前述の実施例２においては、３本の重量性横糸２０３を平行に配置するとしたが、例示のものに限定されない。例えば、図１４に示すように、３本の重量性横糸２０３を一つにまとめ、３本まとめて被覆部材によって被覆した統合重量性横糸３０３を用いるようにしてもよい。この場合、３本の重量性横糸２０３を一つにまとめるにあたっては、例えば、３本の重量性横糸２０３を包含する被覆部３０３ｂを用いる。また、所定の位置にバンド等を用いて、３本の重量性横糸２０３を一つにまとめるようにしてもよい。
【００８０】
さらに、図１５に示すように、１本の統合重量性横糸３０３を側縁Ｓ２１、Ｓ２３のそれぞれ沿って配置するようにすればよい。さらに、複数の統合重量性横糸３０３を側縁Ｓ２１、Ｓ２３のそれぞれ沿って配置するようにしてもよい。
【００８１】
（９）重量性横糸２０３の配置位置  ：  前述の実施例２においては、ネット部２０１では、重量性横糸２０３を側縁Ｓ２１、Ｓ２３全体に沿って配置したが、各側縁Ｓ２１、Ｓ２３の一部に配置するようにしてもよい。また、各側縁Ｓ２１、Ｓ２３の一部に断続的に、複数配置するようにしてもよい。
【００８２】
（１０）ネット部２０１  ：  前述の実施例１においては、ネット部２０１は織物からなるとしたが、不織布等、織物でないものであってもよい。この場合、重量性横糸２０３を配置するには、例えば接着剤を用いて側縁Ｓ２１、Ｓ２３に沿って固定するようにすればよい。また、２枚の不織布等によって重量性横糸２０３を挟み込むようにして、重量性横糸２０３を所定の位置に固定するようにしてもよい。
【００８３】
（１１）重量性横糸２０３の配置方法  ：  前述の実施例２においては、重量性横糸２０３を織物の横糸として配置するとしたが、縦糸として配置するようにしてもよい。
【００８４】
（１２）重量性横糸２０３の構成  ：  前述の実施例２においては、複数の塊状の金属を連続的に直線状に配置することによって重量性横糸２０３を生成するとしたが、所定の重量を有し、屈曲性を有するものであれば例示のものに限定されない。例えば、屈曲性を有するチューブに砂や金属粉を充填することによって、重量性横糸２０３を生成するようにしてもよい。
【産業上の利用可能性】
【００８５】
本発明に係る被覆装置は、例えば、茶木を被覆する被覆ネットとして用いることができる。
【符号の説明】
【００８６】
１００・・・・・被覆ネット
１０１・・・・・ネット部
１０３・・・・・チューブ挿入部
１０５・・・・・チューブ
２００・・・・・被覆ネット
２０１・・・・・ネット部
２０３・・・・・重量性横糸
３０３・・・・・統合重量性横糸
【図１】
0005861147.tif 000002
【図２】
0005861147.tif 000003
【図３】
0005861147.tif 000004
【図４】
0005861147.tif 000005
【図５】
0005861147.tif 000006
【図６】
0005861147.tif 000007
【図７】
0005861147.tif 000008
【図８】
0005861147.tif 000009
【図９】
0005861147.tif 000010
【図１０】
0005861147.tif 000011
【図１１】
0005861147.tif 000012
【図１２】
0005861147.tif 000013
【図１３】
0005861147.tif 000014
【図１４】
0005861147.tif 000015
【図１５】
0005861147.tif 000016